(57)【要約】【課題】本発明は、高さ調整の作業効率を向上させることができる巻き取り式のエレベーターかご用巾木を提供することを目的とする。【解決手段】本発明に係る巻き取り式のエレベーターかご用巾木は、エレベーターのかご１の壁よりも下方且つかご１の床５よりも上方において上下方向に沿って設けられたパネル部１３と、一端がパネル部１３の上端に連続し、かご１の床５又は壁の少なくとも一方に支持されている巻き取り機構１６に巻かれたベルト部１４と、を備えたものである。【選択図】図２
2018034957.tif 000002
【特許請求の範囲】
【請求項１】
エレベーターのかごの壁よりも下方且つ前記かごの床よりも上方において上下方向に沿って設けられたパネル部と、
一端が前記パネル部の上端に連続し、前記かごの床又は壁の少なくとも一方に支持されている巻き取り機構に巻かれたベルト部と、
を備えた巻き取り式のエレベーターかご用巾木。
【請求項２】
前記巻き取り機構は、前記かごの壁よりも下方且つ前記かごの床よりも上方において前記パネル部よりも外側に位置し、
前記ベルト部は、前記かごの壁よりも下方且つ前記巻き取り機構の回転軸よりも上方で下向きに折り返される請求項１に記載の巻き取り式のエレベーターかご用巾木。
【請求項３】
前記かごの床又は壁の少なくとも一方に支持され、前記かごの壁よりも下方且つ前記かごの床よりも上方において上下方向に沿った壁部を有する遮蔽部材を備え、
前記巻き取り機構は、前記かごの壁よりも下方且つ前記かごの床よりも上方において前記パネル部よりも外側に位置し、
前記遮蔽部材の壁部は、前記パネル部よりも内側に位置し、下端が前記巻き取り機構の回転軸よりも下方に位置する請求項１に記載の巻き取り式のエレベーターかご用巾木。
【請求項４】
前記巻き取り機構の回転軸は、前記かごの外部に露出した端部に力が加えられた場合に回転する請求項１から３のいずれか１項に記載の巻き取り式のエレベーターかご用巾木。
【請求項５】
前記巻き取り機構は、前記かごの壁と前記かごの床との間に設けられた巾木台に支持され、
前記パネル部は、磁力によって前記巾木台の内側の面に吸着する請求項１から４のいずれか１項に記載の巻き取り式のエレベーターかご用巾木。
【発明の詳細な説明】
【技術分野】
【０００１】
本発明は、エレベーターかご用巾木に関する。
【背景技術】
【０００２】
エレベーターのかごの巾木は、例えば、下端が床敷物の上面に接した状態で設けられている。このため、床敷物を厚さの異なる他の床敷物に交換する際には、巾木の交換又は高さ調整が行われる。下記特許文献１には、高さを調整可能な巾木が記載されている。
【先行技術文献】
【特許文献】
【０００３】
【特許文献１】特開２００３−２４６５６８号公報
【発明の概要】
【発明が解決しようとする課題】
【０００４】
特許文献１に記載の巾木は、かごの側壁に対してボルト等で固定される。このため、巾木の高さ調整の作業効率が良くない。
【０００５】
本発明は、上記の課題を解決するためになされた。その目的は、高さ調整の作業効率を向上させることができる巻き取り式のエレベーターかご用巾木を提供することである。
【課題を解決するための手段】
【０００６】
本発明に係る巻き取り式のエレベーターかご用巾木は、エレベーターのかごの壁よりも下方且つかごの床よりも上方において上下方向に沿って設けられたパネル部と、一端がパネル部の上端に連続し、かごの床又は壁の少なくとも一方に支持されている巻き取り機構に巻かれたベルト部と、を備えたものである。
【発明の効果】
【０００７】
本発明において、ベルト部は、一端がパネル部の上端に連続し、巻き取り機構に巻かれている。このため、本発明によれば、かご用巾木の高さ調整の作業効率を向上させることができる。
【図面の簡単な説明】
【０００８】
【図１】実施の形態１におけるかご用巾木が設置されたかごの内部を示す斜視図である。
【図２】実施の形態１におけるかご用巾木の設置状態を示す断面図である。
【図３】実施の形態１における巻き取り機構の端部を示す第１の上面図である。
【図４】実施の形態１における巻き取り機構の端部を示す第２の上面図である。
【図５】実施の形態１における高さ調整作業を説明するための上面図である。
【図６】実施の形態１における高さ調整作業を説明するための側面図である。
【図７】実施の形態２におけるかご用巾木の設置状態を示す断面図である。
【発明を実施するための形態】
【０００９】
添付の図面を参照して、巻き取り式のエレベーターかご用巾木を詳細に説明する。各図では、同一又は相当する部分に同一の符号を付している。重複する説明は、適宜簡略化あるいは省略する。
【００１０】
実施の形態１．
図１は、実施の形態１におけるかご用巾木が設置されたかごの内部を示す斜視図である。
【００１１】
図１に示すように、かご１は、天井２、袖壁３、側壁４、床５、かごドア６及びかご用巾木７を備える。床５には、図１に図示しない床敷物が設置される場合がある。かご用巾木７は、例えば、袖壁３及び側壁４の下方に設けられている。かご用巾木７の下端は、例えば、床５又は床敷物の上面に接触してもよい。かご用巾木７の下端は、例えば、床５又は床敷物の上面との間にわずかな隙間ができる位置にあってもよい。
【００１２】
図２は、実施の形態１におけるかご用巾木の設置状態を示す断面図である。図２における左側は、かご１の内側である。図２における右側は、かご１の外側である。つまり、図２における右側の空間は、例えば、図示しない昇降路の内部空間である。
【００１３】
以下、水平方向を指定する場合、かご１の中央に対してより近い側を「内側」とも呼び、かご１の中央からより遠い側を「外側」とも呼ぶ。例えば、図１における左側は内側であり、図１における右側は外側である。
【００１４】
図２に示すように、袖壁３及び側壁４の下端部には、補強部材８が設けられている。補強部材８は、袖壁３及び側壁４の外側の面に固定されている。補強部材８と床５との間には、巾木台９が設けられている。巾木台９の断面は、例えば、Ｓ字状を呈する。巾木台９は、例えば、磁石に吸着する材質で形成されている。巾木台９の下端は、固定具１０で床５に固定されている。巾木台９の上端は、固定具１０で補強部材８に固定されている。固定具１０は、例えば、ボルト及びナットである。床５には、床敷物１１が設けられている。
【００１５】
図２に示すように、巾木台９には、ベルト支持部材１２が取り付けられている。ベルト支持部材１２の断面は、例えば、Ｌ字状を呈する。ベルト支持部材１２は、例えば、底部及び壁部を有する。底部は、例えば、水平方向に沿った形状を呈する。壁部は、例えば、上下方向に沿った形状を呈する。ベルト支持部材１２の底部は、例えば、巾木台９に固定されている。ベルト支持部材１２の底部は、例えば、巾木台９に着脱可能に取り付けられてもよい。ベルト支持部材１２の底部は、例えば、巾木台９の内側の面よりも内側に突出する。ベルト支持部材１２の壁部は、底部の内側の端部から上方に延びる。ベルト支持部材１２の壁部の上端は、袖壁３及び側壁４よりも下方に位置する。ベルト支持部材１２の壁部の上端は、例えば、巾木台９の上端と同じ高さに位置する。ベルト支持部材１２の壁部の上端は、巾木台９の上端と接触しない。
【００１６】
図２に示すように、かご用巾木７は、袖壁３及び側壁４よりも下方且つ床５よりも上方に位置する。かご用巾木７は、パネル部１３及びベルト部１４を有する。ベルト部１４は、例えば、パネル部１３と同じ色又は類似した色を呈する。パネル部１３は、例えば、板状に形成されている。パネル部１３は、例えば、ステンレス鋼等の材質で形成されている。ベルト部１４は、折り曲げることが可能な材質で形成されている。ベルト部１４は、例えば、スチールベルト等である。パネル部１３の上端は、ベルト部１４の一端に連続している。パネル部１３の上端は、例えば、接着剤を用いてベルト部１４の一端に接着されている。パネル部１３の下端部には、磁石１５が取り付けられている。磁石１５は、例えば、磁力によってパネル部１３に吸着する。磁石１５は、例えば、接着剤を用いてパネル部１３に接着されてもよい。
【００１７】
図２に示すように、巾木台９には、巻き取り機構１６が取り付けられている。巻き取り機構１６は、袖壁３及び側壁４よりも下方且つ床５よりも上方に位置する。巻き取り機構１６は、ベルト支持部材１２の壁部よりも外側に位置する。巻き取り機構１６の回転軸は、ベルト支持部材１２の壁部の上端よりも下方に位置する。巻き取り機構１６の回転軸は、例えば、かご１の壁及び床５の双方に対して平行である。巻き取り機構１６には、ベルト部１４の他端側が巻かれている。
【００１８】
ベルト部１４は、ベルト支持部材１２の壁部の上端と巾木台９の上端との間の隙間を上向きに通る。ベルト部１４は、ベルト支持部材１２の壁部の上端及び内側の面に沿って下向きに屈曲する。つまり、ベルト部１４は、その一端がかご１の内部に露出するように、ベルト支持部材１２の壁部の上端で下向きに折り返される。ベルト部１４の一端及びパネル部１３は、ベルト支持部材１２の壁部よりも内側に位置する。パネル部１３は、例えば、ベルト支持部材１２の壁部に沿って配置される。つまり、パネル部１３は、例えば、上下方向に沿って設けられる。パネル部１３の下端部は、磁石１５の磁力によって、巾木台９の内側の面に着脱可能に吸着する。
【００１９】
図２の視点において、巻き取り機構１６の回転軸が時計回りに回転すると、ベルト部１４が引き出される向きに移動する。つまり、ベルト部１４のうちベルト支持部材１２よりも内側に露出する部分が増加する。この場合、パネル部１３の上下方向における下端の位置が下向きに移動する。一方、図２の視点において、巻き取り機構１６の回転軸が反時計回りに回転すると、ベルト部１４が巻き取られる向きに移動する。つまり、ベルト部１４のうちベルト支持部材１２よりも内側に露出する部分が減少する。この場合、パネル部１３の上下方向における下端の位置が上向きに移動する。このように、巻き取り機構１６の回転軸を回転させることで、かご用巾木７の高さ調整が可能である。
【００２０】
図３は、実施の形態１における巻き取り機構の端部を示す第１の上面図である。図４は、実施の形態１における巻き取り機構の端部を示す第２の上面図である。
【００２１】
図３は、巻き取り機構１６の端部に回転制限具１７が取り付けられた状態を示している。回転制限具１７は、例えば、ボルト等である。回転制限具１７は、例えば、巻き取り機構１６の回転軸を巾木台９に対して固定する。巻き取り機構１６に回転制限具１７が取り付けられている状態において、回転軸は回転不可能である。
【００２２】
図４は、巻き取り機構１６の端部にハンドル１８が取り付けられた状態を示している。ハンドル１８は、回転制限具１７が取り付けられていない状態の巻き取り機構１６の回転軸に取り付けられる。回転軸は、ハンドル１８を介して加えられる力によって回転する。
【００２３】
図３及び図４に示す巻き取り機構１６の回転軸の端部は、かご１の外部に露出している。つまり、回転軸の端部は、かご１の内部ではなく、昇降路の内部空間に露出している。
【００２４】
図５は、実施の形態１における高さ調整作業を説明するための上面図である。図６は、実施の形態１における高さ調整作業を説明するための側面図である。図５及び図６は、昇降路の内部における巻き取り機構１６の位置を模式的に示している。
【００２５】
図５及び図６に示すように、巻き取り機構１６は、かご１の側壁４と昇降路壁１９との間に位置する。ハンドル１８は、例えば、昇降路の内部に進入した保守作業者によって巻き取り機構１６の回転軸に取り付けられる。保守作業者は、昇降路の内部でハンドル１８を回すことで、かご用巾木７の高さ調整を実施する。
【００２６】
実施の形態１において、パネル部１３は、エレベーターのかご１の壁よりも下方且つかご１の床５よりも上方において、上下方向に沿って設けられている。ベルト部１４は、一端がパネル部１３の上端に連続し、巻き取り機構１６に巻かれている。巻き取り機構１６は、かご１の床５又は壁の少なくとも一方に支持された巾木台９に取り付けられている。このため、実施の形態１によれば、巻き取り機構１６からベルト部１４が引き出される量を変化させることで、かご用巾木７の上下方向における下端の位置を容易に変更することができる。これにより、例えば、かご１内の床敷物１１を交換する際には、新しい床敷物１１の厚さに応じて巻き取り機構１６の回転軸を回転させればよい。つまり、床敷物の厚さに合わせてかご用巾木の交換又は付け直しをする必要がない。その結果、かご用巾木の高さ調整の作業効率を向上させることができる。
【００２７】
実施の形態１において、巻き取り機構１６は、かご１の壁よりも下方且つかご１の床５よりも上方においてパネル部１３よりも外側に位置する。ベルト部１４は、一端がかご１の内部に露出するように、かご１の壁よりも下方且つ巻き取り機構１６の回転軸よりも上方で下向きに折り返される。このため、実施の形態１によれば、巾木台９、固定具１０及び巻き取り機構１６等がかご１の内部から視認されない。また、実施の形態１によれば、ベルト部１４のうちかご１内に露出する部分が床５から離れている。これにより、エレベーターの乗客がかご１内で床５を見下ろしたとしても、パネル部１３とベルト部１４との境界が目立ちにくい。その結果、かご内の美観を損ねることを防止できる。
【００２８】
実施の形態１において、巻き取り機構１６の回転軸は、かご１の外部に露出した端部に力が加えられた場合に回転する。このため、実施の形態１によれば、かご用巾木７の高さ調整は、かご１内では行えない。その結果、例えば、保守作業者でない者が故意又は過失によってかご用巾木の高さを変更することを防止できる。
【００２９】
実施の形態１において、巻き取り機構１６は、かご１の壁とかご１の床５との間に設けられた巾木台９に支持されている。パネル部１３は、磁力によって巾木台９の内側の面に吸着する。このため、実施の形態１によれば、パネル部１３を容易に着脱可能な状態でパネル部１３のずれを防止できる。
【００３０】
実施の形態２．
以下、実施の形態１との相違点を中心に、巻き取り式のエレベーターかご用巾木の構成を説明する。実施の形態１と同一又は相当する部分には同一の符号を付して、一部の説明を省略する。
【００３１】
図７は、実施の形態２におけるかご用巾木の設置状態を示す断面図である。図７における左側は内側であり、図７における右側は外側である。
【００３２】
図７に示すように、実施の形態２において、巾木台９には、ベルト支持部材１２が取り付けられていない。かご用巾木７は、パネル部１３、ベルト部１４及び遮蔽部材２０を有する。巻き取り機構１６によるベルト部１４の巻き取り方向は、実施の形態１の場合と逆である。
【００３３】
遮蔽部材２０の断面は、例えば、Ｌ字状を呈する。遮蔽部材２０は、例えば、天井部及び壁部を有する。天井部は、例えば、水平方向に沿った形状を呈する。壁部は、例えば、上下方向に沿った形状を呈する。遮蔽部材２０の天井部は、例えば、固定具１０で巾木台９の上面に固定されている。遮蔽部材２０は、例えば、巾木台９に着脱可能に取り付けられてもよい。遮蔽部材２０の天井部は、例えば、巾木台９の内側の面よりも内側に突出する。遮蔽部材２０の壁部は、天井部の内側の端部から下方に延びる。遮蔽部材２０の壁部は、パネル部１３よりも内側に位置する。遮蔽部材２０の壁部の下端は、巻き取り機構１６の回転軸よりも下方に位置する。遮蔽部材２０の壁部の下端は、巾木台９と接触しない。
【００３４】
遮蔽部材２０は、例えば、パネル部１３と同じ色又は類似した色を呈する。遮蔽部材２０は、例えば、パネル部１３と同じ材質で形成されている。
【００３５】
ベルト部１４は、巻き取り機構１６の内側の端部から垂れるようにして下向きに引き出される。パネル部１３は、遮蔽部材２０の壁部の下端と巾木台９との間の隙間を下向きに通る。パネル部１３は、上下方向に沿って、遮蔽部材２０の壁部と巾木台９との間に位置する。ベルト部１４は、パネル部１３の上端が遮蔽部材２０の壁部の下端よりも下方に位置しない限り、かご１の内部から視認されない。
【００３６】
図７の視点において、巻き取り機構１６の回転軸が反時計回りに回転すると、ベルト部１４が引き出される向きに移動する。この場合、パネル部１３の上下方向における下端の位置が下向きに移動する。一方、図７の視点において、巻き取り機構１６の回転軸が時計回りに回転すると、ベルト部１４が巻き取られる向きに移動する。この場合、パネル部１３の上下方向における下端の位置が上向きに移動する。
【００３７】
実施の形態２において、パネル部１３は、エレベーターのかご１の壁よりも下方且つかご１の床５よりも上方において、上下方向に沿って設けられている。ベルト部１４は、一端がパネル部１３の上端に連続し、巻き取り機構１６に巻かれている。巻き取り機構１６は、かご１の床５又は壁の少なくとも一方に支持された巾木台９に取り付けられている。このため、実施の形態２によれば、実施の形態１と同様に、かご用巾木の高さ調整の作業効率を向上させることができる。
【００３８】
実施の形態２において、遮蔽部材２０は、かご１の床５又は壁の少なくとも一方に支持され、かご１の壁よりも下方且つかご１の床５よりも上方において上下方向に沿った壁部を有する。巻き取り機構１６は、かご１の壁よりも下方且つかご１の床５よりも上方において、パネル部１３よりも外側に位置する。遮蔽部材２０の壁部は、パネル部１３よりも内側に位置し、下端が巻き取り機構１６の回転軸よりも下方に位置する。このため、実施の形態２によれば、かご１の壁の下方且つかご１の床５の上方の範囲のうち上側の部分は、遮蔽部材２０の壁部によって隠される。これにより、例えば、巻き取り機構１６の回転軸よりも上方でベルト部１４を下向きに折り返すことなく、巻き取り機構１６等がかご１の内部から視認されることを防止できる。その結果、ベルト部１４の劣化を抑制することができる。
【００３９】
実施の形態１及び２において、巻き取り機構１６は、例えば、かご１の内部でパネル部１３又はベルト部１４の一端を引っ張ることでベルト部１４を引き出せる機構であってもよい。また、巻き取り機構１６は、例えば、ベルト部１４を自動で巻き取る機能を有していてもよい。この場合、例えば、かご１内の床敷物１１を交換する際には、新しい床敷物１１を設置した後に、必要な分だけベルト部１４をかご１の内部に向けて引き出せばよい。その結果、かご用巾木の高さ調整の作業効率を向上させることができる。
【符号の説明】
【００４０】
１  かご
２  天井
３  袖壁
４  側壁
５  床
６  かごドア
７  かご用巾木
８  補強部材
９  巾木台
１０  固定具
１１  床敷物
１２  ベルト支持部材
１３  パネル部
１４  ベルト部
１５  磁石
１６  巻き取り機構
１７  回転制限具
１８  ハンドル
１９  昇降路壁
２０  遮蔽部材
【図１】
2018034957.tif 000003
【図２】
2018034957.tif 000004
【図３】
2018034957.tif 000005
【図４】
2018034957.tif 000006
【図５】
2018034957.tif 000007
【図６】
2018034957.tif 000008
【図７】
2018034957.tif 000009